(57)【要約】【課題】コンテンツの選択数に対して、優先的に選択するコンテンツとするかどうかを設定した選択条件情報を記憶する。この選択条件情報とコンテンツの選択数に応じてコンテンツを選択することにより、ユーザが視聴したいコンテンツが選択されるまでのスキップ操作の回数を抑制し、操作を簡単にしたディジタルオーディオ装置を提案する。【解決手段】記憶部４は、図４のコンテンツ毎選択条件情報テーブル、図５の選択条件情報テーブルを記憶する。図５の選択条件情報テーブルの「選択情報」、「選択数情報」で設定されている選択数になると、図４のコンテンツ毎選択条件情報テーブルで設定されているコンテンツを優先的に選択する。また、ランダム再生時に最初に選択するコンテンツを図４のコンテンツ毎選択条件情報テーブルで設定されているコンテンツから優先的に選択する。上記で選択されたコンテンツの再生を行う。【選択図】図５
2009092737.tif 000002
【特許請求の範囲】
【請求項１】
複数のコンテンツを記憶するコンテンツ記憶手段と、
前記コンテンツ記憶手段に記憶しているコンテンツを再生する再生手段と、
前記コンテンツ記憶手段に記憶しているコンテンツの中から、コンテンツを適当に選択し、選択したコンテンツの再生を前記再生手段に指示する処理を繰り返すランダム再生を制御する制御手段と、を備えたディジタルオーディオ装置において、
前記コンテンツ記憶手段が記憶するコンテンツ毎に、前記制御手段が前記ランダム再生時に選択したコンテンツの選択数に対して、該選択数で優先的に選択するコンテンツとするかどうかを設定した選択条件情報を記憶する選択条件記憶手段を備え、
前記制御手段は、前記ランダム再生時に選択したコンテンツの選択数をカウントし、コンテンツの選択時に、前記選択条件記憶手段が記憶する前記選択条件情報に基づいて、このときの選択数に対して優先的に選択することが設定されているコンテンツの中から、コンテンツを適当に選択する手段である、ディジタルオーディオ装置。
【請求項２】
前記選択条件記憶手段が記憶する前記選択条件情報には、２つのコンテンツを対応付けるコンボ情報が含まれており、
前記制御手段は、コンテンツの選択時に、前回選択したコンテンツが、前記コンボ情報によって、他のコンテンツと対応付けられている場合、前々回に選択したコンテンツが、この他のコンテンツでなければ、この他のコンテンツを選択する手段である、請求項１に記載のディジタルオーディオ装置。
【請求項３】
前記選択条件記憶手段が記憶する前記選択条件情報には、前記制御手段における同じコンテンツの連続選択回数を制限する同一コンテンツ連続選択制限情報が含まれている、請求項１または２に記載のディジタルオーディオ装置。
【請求項４】
前記選択条件記憶手段が記憶する前記選択条件情報には、前記ランダム再生時に前記制御手段が選択するコンテンツの上限数を設定した選択数情報が含まれており、
前記制御手段は、前記ランダム再生時に選択したコンテンツの選択数が前記選択数情報で設定されている上限数に達すると、ランダム再生を終了する手段である、請求項１〜３のいずれかに記載のディジタルオーディオ装置。
【請求項５】
前記コンテンツ記憶手段は、複数のコンテンツをグループに分けて記憶する手段であり、
前記選択条件記憶手段が記憶する前記選択条件情報には、前記制御手段が同じグループからのコンテンツの連続選択回数を制限するグループ内連続選択制限情報が含まれている、請求項１〜４のいずれかに記載のディジタルオーディオ装置。
【発明の詳細な説明】
【技術分野】
【０００１】
本発明は、記憶している複数のコンテンツの中から再生するコンテンツをランダムに選択するランダム再生機能を有するディジタルオーディオ装置に関する。
【背景技術】
【０００２】
近年、パーソナルコンピュータ等の外部機器と接続し、音楽、映像等のコンテンツを外部機器から入力し、入力されたコンテンツを記憶するディジタルオーディオ装置が普及している。こうしたディジタルオーディオ装置では、記憶しているコンテンツの中から、コンテンツを適当に選択し、選択したコンテンツを再生する処理を繰り返すランダム再生機能がある。
【０００３】
また、特許文献１では、コンテンツを複数のグループに分けて記憶させ、グループ毎に鍵となるコンテンツを指定する。鍵として指定されたコンテンツがランダム再生機能により選択されると、別のグループに属するコンテンツを選択し、選択されたコンテンツを再生するデータ再生装置が提案されている。
【特許文献１】特開２００２−３４１８９４号公報
【発明の開示】
【発明が解決しようとする課題】
【０００４】
しかしながら、従来のランダム再生機能では、ユーザが視聴したいコンテンツとは異なるコンテンツが連続して再生されることがある。その場合、ユーザはスキップ操作を行い、視聴しているコンテンツをスキップし、別のコンテンツに変更する。スキップ操作により変更したコンテンツも視聴したいコンテンツとは異なる場合には、ユーザは更にスキップ操作を行い、コンテンツを変更することになる。したがって、視聴したいコンテンツが選択されるまで、スキップ操作を繰り返す回数が多くなり、操作が煩雑であった。
【０００５】
また、特許文献１の構成では、ランダム選択時に選択されたグループ内に視聴したいコンテンツがない場合、鍵となるコンテンツが選択されるまで、スキップ操作を行わなければ、別のグループに移行しない。したがって、ユーザはこのコンテンツが選択されるまで、スキップ操作を行わなければならず、操作が煩雑であった。
【０００６】
上記問題に鑑み、本発明の目的は、ランダム再生時に、ユーザが視聴したいコンテンツが選択されるまでのスキップ操作の回数を抑制し、操作を簡単にしたディジタルオーディオ装置を提供することにある。
【課題を解決するための手段】
【０００７】
本発明のディジタルオーディオ装置は、上記課題を解決するために以下の構成である。
【０００８】
コンテンツ記憶手段が、複数のコンテンツを記憶する。再生手段が、コンテンツ記憶手段に記憶しているコンテンツを再生する。制御手段が、コンテンツ記憶手段に記憶しているコンテンツの中から、コンテンツを適当に選択し、選択したコンテンツの再生を再生手段に指示する処理を繰り返すランダム再生を制御する。選択条件記憶手段が、コンテンツ記憶手段が記憶するコンテンツ毎に、制御手段がランダム再生時に選択したコンテンツの選択数に対して、この選択数で優先的に選択するコンテンツとするかどうかを設定した選択条件情報を記憶する。そして、制御手段は、ランダム再生時に選択したコンテンツの選択数をカウントし、コンテンツの選択時に、選択条件記憶手段が記憶する選択情報に基づいて、この場合の選択数に対して優先的に選択することが設定されているコンテンツの中から、コンテンツを適当に選択する手段である。こうすることにより、所定の間隔で視聴したいコンテンツが選択されることにより、ユーザが視聴したいコンテンツを選択するスキップ操作の回数を抑制することができ、操作が簡単になる。
【発明の効果】
【０００９】
ユーザが視聴したいコンテンツを選択するスキップ操作の回数を抑制することができ、操作が簡単になる。
【発明を実施するための最良の形態】
【００１０】
以下、本発明の実施形態であるディジタルオーディオ装置について説明する。
【００１１】
図１は、本実施形態であるディジタルオーディオ装置の外観図であり、図２はディジタルオーディオ装置１の構成ブロック図である。ディジタルオーディオ装置１は、入力部２、信号処理部３、記憶部４、制御部５、操作部６、表示部７、音量調節部８、出力部９、バッテリ１０、を備えている。
【００１２】
入力部２は、図示していない外部機器（例えば、パーソナルコンピュータ）を接続し、この外部機器から入力されたコンテンツを受け付け、信号処理部３に入力する。
【００１３】
信号処理部３は、入力部２から入力されたコンテンツを受け付け、記憶部４にコンテンツを入力する。また、記憶部４から入力されたコンテンツを復号処理し、出力部９に出力する。
【００１４】
記憶部４は、信号処理部３から入力されたコンテンツを記憶する。信号処理部３から入力されたコンテンツは、複数のグループに分けて記憶されている。このグループ分けは、例えば、音楽コンテンツである場合には演奏者名、音楽ジャンル名に基づいて制御部５が行っても良いし、ユーザが操作部６を操作して行っても良い。また、他の方法でグループ分けを行っても良い。記憶部４に記憶しているコンテンツを制御部５は図３に示すコンテンツテーブルのように、コンテンツ毎にタイトルで管理している。記憶部４は本体に内蔵されているメモリ（例えば、ＥＥＰＲＯＭやＳＤＲＡＭ）であっても良い。また、本体にハードディスクやフラッシュメモリ等の不揮発性の記憶媒体を内蔵しても良い。また、記憶部４は不揮発性のものが好ましいが、バッテリバックアップされた揮発性のメモリ等であっても良い。
【００１５】
また、記憶部４は、選択条件情報を記憶している。また、最近再生したコンテンツの再生履歴を記憶している。記憶部４が記憶する選択条件情報、及び再生履歴についての詳細は後述する。
【００１６】
なお、選択条件情報、再生履歴、及びコンテンツ毎の情報は、記憶部４に記憶するのではなく、本体にフラッシュメモリ等の不揮発性メモリを別に設け、この不揮発性メモリに記憶しても良い。
【００１７】
また、本実施形態では、３つのグループに分類しているが、その数は３つに限定されるものではなく、２つ以下でも、４つ以上であっても良い。また、各グループに属するコンテンツの数もこの数に限定されるものではなく、各グループに属するコンテンツの数がグループ毎に異なっていても良い。
【００１８】
制御部５は、本体各部の動作を制御する。また、制御部５は、ランダム再生の制御、再生したコンテンツの再生履歴の作成の制御、再生履歴を記憶部４に記憶する制御、選択条件情報の作成の制御、記憶部４に記憶されているコンテンツ毎の情報の設定の制御、選択条件情報とコンテンツ毎の情報とに基づいたコンテンツの優先的な選択の制御、の各制御を行なう。制御部５が行なう各制御の詳細は後述する。
【００１９】
操作部６は、操作キー等が設けられており、ユーザの操作を受け付け、操作された操作キーに応じた信号を制御部５へ入力する。
【００２０】
表示部７は、制御部５からの入力を受けて、現在再生しているコンテンツの情報、音量調節部８が入力する現在の音量、バッテリ１０の電池残量等の様々な情報を映像で表示する。
【００２１】
音量調節部８は、音量の調節を行ない、制御部５へ音量の上昇、下降を入力する。
【００２２】
出力部９は、信号処理部３から入力されたコンテンツを出力する。ユーザは出力部９に図示していないヘッドホン、イヤホン、スピーカ等の音響装置を接続し、コンテンツの視聴を行なう。
【００２３】
バッテリ１０は、ディジタルオーディオ装置１全体に電源を供給する。
【００２４】
図３〜図８を利用してディジタルオーディオ装置１の動作について説明する。
【００２５】
制御部５は、記憶している其々のグループに属するコンテンツ毎に図４で示すコンテンツ毎選択条件情報テーブルを設定する。また、制御部５は、図５に示す選択条件情報テーブルを設定する。
【００２６】
図４のコンテンツ毎選択条件情報テーブルには、「ファースト」、「ファイナル」、「ポイント曲」、「コンボ情報」の各情報がコンテンツ毎に設定されている。「ファースト」の情報に星印が設定されているコンテンツは、コンテンツの選択数が１つ目の場合に優先的に選択されるコンテンツである。「ファイナル」の情報に星印が設定されているコンテンツは、図５の選択条件情報テーブルの「選択数情報」の情報で設定されている選択数が、コンテンツの選択した選択数と同じである場合に優先的に選択されるコンテンツである。「選択数情報」の情報が設定されている選択数になると、制御部５はランダム再生機能を終了する。つまり、ランダム再生時にユーザが最後に視聴するコンテンツは「ファイナル」の情報が設定されているコンテンツである。「ポイント曲」の情報にプラス印が設定されているコンテンツは、これまでのコンテンツの選択した選択数が図５の「選択情報」の情報で設定されている選択数になると、優先的に選択されるコンテンツである。「コンボ情報」の情報に丸印が設定されているコンテンツは、同一グループ内の何れか一方のコンテンツが選択されると、次に選択するコンテンツを同一グループ内の他方のコンテンツに設定する。
【００２７】
図５の選択条件情報テーブルには、「最初の再生グループ」、「選択情報」、「同一コンテンツ連続選択制限情報」、「選択数情報」、「グループ内連続選択制限情報」、の各情報が設定されている。ユーザがランダム再生機能を使用すると、制御部５は、「最初の再生グループ」の情報で設定されているグループを最初に選択し、そして、このグループに属するコンテンツで、図４のコンテンツ毎選択条件情報テーブルの「ファースト」の情報が設定されているコンテンツを選択し、選択したコンテンツの再生を行なう。「選択情報」の情報で設定されている選択数になると、図４のコンテンツ毎選択条件情報テーブルで「ポイント曲」の情報が設定されているコンテンツを選択し、選択したコンテンツを再生する。「同一コンテンツ連続選択制限情報」の情報で設定されている選択回数は、連続して同一のコンテンツを選択する選択回数の制限を示すものである。制御部５は。この「同一コンテンツ連続選択制限情報」の情報で設定されている選択回数を上回って同一のコンテンツを連続して選択した場合には、別のコンテンツを選択する。「選択数情報」の情報で設定されている選択数になると、制御部５は、図４のコンテンツ毎選択条件情報テーブルを参照し、現在選択しているグループ内で「ファイナル」の情報が設定されているコンテンツを選択し、このコンテンツの再生が終了するか、ユーザがスキップ操作を行なうと、ランダム再生の指示を終了する。「グループ内連続選択制限情報」の情報で設定されている選択回数を超えて、同一グループに属するコンテンツが連続して選択されることはない。制御部５は、「グループ内連続選択制限情報」の情報で設定されている選択回数を超えて同一グループに属するコンテンツを選択した場合には、別のグループに属するコンテンツを選択するまで、グループの選択を繰り返す。
【００２８】
なお、図４のコンテンツ毎選択条件情報テーブル、図５の選択条件情報テーブルは、全てを設定する必要はなく、一部だけ設定しても良い。例えば、「最初の再生グループ」の情報を設定せずともよい。この場合、全てのグループからランダムに選択し、選択したグループ内で「ファースト」の情報が設定されているコンテンツを再生しても良い。また、「ファースト」の情報が設定されているかに関わらず、全てのコンテンツから選択するようにしても良い。また、「ファイナル」、「ポイント曲」、「コンボ情報」の情報の設定も同様に設定せずとも良い。
【００２９】
また、ポイント曲の設定もこの選択数に限らず、１０、１５、とその選択数を変更しても良いし、ポイント曲の数そのものを増やしても良い。
【００３０】
また、これ以外の種々の変更が考えられる。
【００３１】
図６、図７はランダム再生時の制御部５の動作を示すフローチャートである。
【００３２】
ユーザがランダム再生を行なうと、制御部５は、図５の選択条件情報テーブルで「最初の再生グループ」の情報で設定されているグループ名を参照する。そして、設定されているグループを選択する（Ｓ１）。制御部５は、このグループに属するコンテンツのうち、図４のコンテンツ毎選択条件情報テーブルを参照し、「ファースト」の情報が設定されているコンテンツの中からランダムに選択する（Ｓ２）。コンテンツを選択すると、制御部５は、選択数のカウントを行う（Ｓ３）。選択数のカウントを行なうと、制御部５は選択したコンテンツのタイトルとそのグループ名と選択した回数と、再生履歴として図８に示す再生履歴テーブルのようなテーブル形式で記憶部４に記憶する。そして、制御部５は選択したコンテンツの再生処理を行う（Ｓ４）
なお、選択されたグループの中で「ファースト」の情報が設定されているコンテンツが１つである場合には、そのコンテンツを選択する。また、選択されたグループの中で「ファースト」の情報が設定されているコンテンツが複数である場合には、これらのコンテンツの１つをランダムに選択する。
【００３３】
制御部５が行なう再生処理において、制御部５は以下の制御を行なう。制御部５は、選択したコンテンツの再生を指示する（Ｓ３０）。そして、コンテンツの再生時間が終了する（Ｓ３１）するか、コンテンツを再生している途中で、スキップ操作がある（Ｓ３２）場合、の何れかの場合には再生処理の終了を指示し、次のコンテンツの選択を指示する。以下では、再生処理はこの処理のことを意味している。
【００３４】
Ｓ４において、再生処理が終了すると、制御部５は図４のコンテンツ毎選択条件情報テーブルを参照し、前回選択されたコンテンツが、「コンボ情報」の情報により同一グループ内の他のコンテンツと対応付けられているコンテンツであったかの判定を行なう（Ｓ５）。
【００３５】
Ｓ５において、前回選択したコンテンツが「コンボ情報」の情報により他のコンテンツと対応付けられていると判定する（Ｓ５のＹ）と、図８の再生履歴テーブルを参照し、前々回選択したコンテンツを確認する。ここで、前々回選択したコンテンツが「コンボ情報」の情報により対応付けられた一方のコンテンツであった場合（Ｓ６のＹ）には、今回選択するコンテンツは、「コンボ情報」の情報で対応付けられている他方のコンテンツではなく、このコンテンツが属しているグループとは異なるグループを選択する（Ｓ２３）。
【００３６】
前々回選択したコンテンツが「コンボ情報」の情報により対応付けられたコンテンツではなかった場合（Ｓ６のＮ）、他方のコンテンツを選択する（Ｓ７）。
【００３７】
制御部５は、Ｓ７、Ｓ２３において、コンテンツの選択を行なうと選択数のカウント（Ｓ８）を行い、図８の再生履歴テーブルに今回選択したコンテンツのタイトルと、そのグループ名と、選択数と、を追加する。選択したコンテンツの再生処理を行う（Ｓ９）。再生処理が終了すると、Ｓ５以下の処理を実行する。
【００３８】
こうすることにより、ユーザが視聴したいコンテンツを連続して選択することになるため、視聴したいコンテンツが選択されるまでのスキップ操作の回数を抑制することができ、操作が簡単になる。また、前回、前々回選択したコンテンツを図８の再生履歴テーブルを参照して、確認することにより、「コンボ情報」の情報が設定されているコンテンツ同士が繰り返して選択され続けることを防ぐことができる。
【００３９】
Ｓ５において、前回選択したコンテンツが図４のコンテンツ毎選択条件情報テーブルで「コンボ情報」の情報が設定されていないコンテンツであった場合（Ｓ５のＮ）、制御部５は記憶部４に記憶しているグループをランダムに選択する（Ｓ１０）。Ｓ１０において、制御部５は、今回選択されたグループが図８の再生履歴テーブル、図５の選択条件情報テーブルを参照し、「同一グループ内連続選択制限情報」の情報で設定されている選択回数以上、最近連続して選択したグループであるかの判定を行う（Ｓ１１）。Ｓ１１において、制御部５は、今回選択したグループが「同一グループ内連続選択制限情報」の情報で設定されている選択回数を超えて選択されている場合（Ｓ１１のＮ）、再びＳ１０に戻り記憶部４に記憶しているグループをランダムに選択する。そして、制御部５は、別のグループが選択されるまで、Ｓ１０、Ｓ１１の処理を繰り返す。
【００４０】
Ｓ１０、Ｓ１１の処理において、制御部５がグループの選択を行なうと（Ｓ１１のＹ）、次に図８の再生履歴テーブルを参照し、現在の選択数を確認する（Ｓ１２）。今回の選択数が図５の選択条件情報テーブルの「選択数情報」の情報で設定されている選択数である場合（Ｓ１２のＹ）、つまり、今回ランダム再生機能を行う最後の選択数である場合、選択されたグループ内で図４に示したコンテンツ毎選択条件情報テーブルにおいて、「ファイナル」の情報が設定されているコンテンツをランダムに選択する（Ｓ１３）。制御部５は、選択されたコンテンツが図５の選択条件情報テーブルでの「同一コンテンツ連続選択制限情報」の情報で設定されている選択回数を超えて選択されているかを判定する（Ｓ１４）。Ｓ１４において、選択されたコンテンツが図５の選択条件情報テーブルでの「同一コンテンツ連続選択制限情報」の情報で設定されている選択回数を超えて選択されている場合には、再びＳ１０の処理に戻りグループ選択を行う（Ｓ１４のＮ）。制御部５は選択したコンテンツが「同一コンテンツ連続選択制限情報」の情報で設定されている選択回数以内になるコンテンツを選択するまで、この処理（Ｓ１０〜Ｓ１４）を繰り返す。Ｓ１４において、図５の選択条件情報テーブルで「同一コンテンツ連続選択制限情報」の情報で設定されている選択回数を超えて選択されていない場合（Ｓ１４のＮ）には、選択したコンテンツの再生処理（Ｓ１５）を行う。選択したコンテンツの再生処理が終了すると、制御部５はランダム再生を終了する。
【００４１】
なお、選択されたグループの中で「ファイナル」の情報が設定されているコンテンツが１つである場合には、そのコンテンツを選択する。また、選択されたグループの中で「ファイナル」の情報が設定されているコンテンツが複数である場合には、そのうちの１つをランダムに選択する。
【００４２】
Ｓ１２において、制御部５は、今回の選択数が図５の選択条件情報テーブルの「選択数情報」の情報で設定されている選択数でないと判定すると（Ｓ１２のＮ）、現在の選択数と図５の選択条件情報テーブルに設定されている「選択情報」の情報で設定されている選択数を参照する（Ｓ１６）。現在の選択数が、この選択条件情報テーブルに設定されている「選択情報」の情報で設定されている選択数である場合（Ｓ１６のＹ）には、図４のコンテンツ毎選択条件情報テーブルの「ポイント曲」の情報が設定されているコンテンツから選択する（Ｓ１７）。Ｓ１６において、制御部５は、図８の再生履歴テーブルを参照し、今回選択されたコンテンツが、図５の選択条件情報テーブルに設定されている「同一コンテンツ連続選択制限情報」の情報で設定されている選択回数以上、最近連続して同一のコンテンツは選択されたかの判定を行う（Ｓ１８）。今回選択されたコンテンツが、図５の選択条件情報テーブルに設定されている「同一コンテンツ連続選択制限情報」の情報で設定されている選択回数以上、最近連続して同一のコンテンツが選択された場合には（Ｓ１８のＮ）、Ｓ１０〜Ｓ１８の処理を別のコンテンツが選択されるまで繰り返す。Ｓ１８において、今回選択されたコンテンツが、図５の選択条件情報テーブルに設定されている「同一コンテンツ連続選択制限情報」の情報で設定されている選択回数以内である場合には（Ｓ１８のＹ）、選択数のカウントを行い（Ｓ２１）、図８の再生履歴テーブルに今回選択したコンテンツのタイトルと、そのグループ名と、選択数と、を追加する。選択したコンテンツの再生処理を行う（Ｓ２２）。再生処理が終了すると、Ｓ５以降の処理を再び行う。
【００４３】
なお、選択されたグループの中で「ポイント曲」の情報が設定されているコンテンツが１つである場合には、そのコンテンツを選択する。また、選択されたグループの中で「ポイント曲」の情報が設定されているコンテンツが複数である場合には、そのうちの１つをランダムに選択する。
【００４４】
Ｓ１６において、制御部５は、今回の選択数が図５の選択条件情報テーブルの「選択情報」の情報で設定されている選択数でないと判定すると（Ｓ１６のＮ）、Ｓ１０において選択したグループに属するコンテンツから、再生するコンテンツをランダムに選択する。（Ｓ１９）。制御部５は、図８の再生履歴テーブルを参照し、今回選択されたコンテンツが、図５の選択条件情報テーブルに設定されている「同一コンテンツ連続選択制限情報」の情報で設定されている選択回数以上、最近連続して同一のコンテンツが選択されたかどうかを判定する（Ｓ２０）。今回選択されたコンテンツが、図５の選択条件情報テーブルに設定されている「同一コンテンツ連続選択制限情報」の情報で設定されている選択回数以上、最近連続して同一のコンテンツが選択された場合には（Ｓ２０のＮ）、Ｓ１０〜Ｓ２０の処理を別のコンテンツが選択されるまで繰り返す。Ｓ２０において、今回選択されたコンテンツが、図５の選択条件情報テーブルに設定されている「同一コンテンツ連続選択制限情報」の情報で設定されている選択回数以内である場合（Ｓ２０のＹ）、選択数のカウントを行い（Ｓ２１）、図８の再生履歴テーブルに今回選択したコンテンツのタイトルと、そのグループ名と、選択数と、を追加する。選択したコンテンツの再生処理を行う（Ｓ２２）。再生処理が終了すると、Ｓ５以降の処理を再び行う。
【００４５】
こうすることにより、ランダム再生時、最初（ファースト）、最後（ファイナル）、ポイント曲、の其々のタイミングで視聴したいコンテンツが選択される。したがって、ユーザは、視聴したいコンテンツを其々のタイミングで視聴することができるため、スキップ操作を行う回数を抑制することができ、操作が簡単になる。
【００４６】
なお、ディジタルオーディオ装置１以外の再生装置（たとえば、ＤＶＤプレイや、ＢＤプレイヤ、ＨＤレコーダ）、パーソナルコンピュータ、録画装置（ＤＶＤレコーダ、ＢＤレコーダ、ＨＤレコーダ）あるいは、他の電子機器であっても良い。また、上述したランダム再生機能以外に、公知のランダム再生機能やプログラム再生機能等の他の再生機能を備えたディジタルオーディオ装置であっても良い。また、各テーブルの情報及びその内容は適宜変更可能であり、各テーブルの、一部だけ利用しても良く、必ずしも全て使用する必要はない。
【図面の簡単な説明】
【００４７】
【図１】本実施形態であるディジタルオーディオ装置の外観図である。
【図２】本実施形態の構成ブロック図である。
【図３】記憶部が記憶するコンテンツを管理するコンテンツテーブルを示す図である。
【図４】コンテンツ毎選択条件情報テーブルを示した図である。
【図５】選択条件情報テーブルを示した図である。
【図６】ランダム再生時に制御部が行う動作のフローチャートを示した図である。
【図７】再生処理に係る動作を示すフローチャートである。
【図８】再生履歴テーブルを示す図である。
【符号の説明】
【００４８】
１…ディジタルオーディオ装置
２…入力部
３…信号処理部
４…記憶部
５…制御部
６…操作部
７…表示部
８…音量調節部
９…出力部
１０…バッテリ
【図１】
2009092737.tif 000003
【図２】
2009092737.tif 000004
【図３】
2009092737.tif 000005
【図４】
2009092737.tif 000006
【図５】
2009092737.tif 000007
【図６】
2009092737.tif 000008
【図７】
2009092737.tif 000009
【図８】
2009092737.tif 000010